(57)【要約】      （修正有）【課題】表示ラベル片を損傷することなく、フィルムからきれいに剥ぎ取ることができる表示ラベルシートを提供する。【解決手段】表示ラベルシート１０は、裏面に感熱接着剤層１４を有する、複数の表示ラベル基材１６と、感熱接着剤層１４の周縁部に接着されたフィルム１８とを含む。各表示ラベル基材１６は、文字、図形等が印刷される表示ラベル片２０と、表示ラベル片２０の隅部２０ａから間隔２０ｂを置いて配置される剥離片２２とを含む。【選択図】図１
0003144443.tif 000002
【実用新案登録請求の範囲】
【請求項１】
裏面に接着剤が塗布された表示ラベル基材と、前記接着剤の層の周縁部に接着されたフィルムとを含み、前記表示ラベル基材は、表示ラベル片と、該表示ラベル片の周囲に沿って配置される剥離片とを含む、表示ラベルシート。
【請求項２】
前記剥離片は前記表示ラベル片から間隔をおいて配置される、請求項１に記載の表示ラベルシート。
【請求項３】
前記剥離片は前記表示ラベル片に隣接して配置される、請求項１に記載の表示ラベルシート。
【請求項４】
前記剥離片は前記表示ラベル片の隅部に近接して配置される、請求項１に記載の表示ラベルシート。
【請求項５】
前記接着剤は感熱接着剤を含む、請求項１に記載の表示ラベルシート。
【考案の詳細な説明】
【技術分野】
【０００１】
本考案は、表示ラベル片を剥離可能に接着した表示ラベルシートに関する。
【背景技術】
【０００２】
従来、表示ラベルシートは、複数個の表示ラベル片と、これらの表示ラベル片を剥離可能に支持する剥離シート等のフィルムとを含む。使用者は、剥離シートを折り曲げ、各表示ラベル片の端部を爪に当て、引っ掻くようにして、各表示ラベル片をフィルムから剥ぎ取る。
【０００３】
しかし、前記従来の表示ラベルシートでは、使用者が表示ラベル片の端部を爪で引っ掻くようにしてフィルムから剥ぎ取るため、表示ラベル片のその端部は損傷する。
【考案の開示】
【考案が解決しようとする課題】
【０００４】
本考案の目的は、表示ラベル片を損傷することなく、フィルムからきれいに剥ぎ取ることができる表示ラベルシートを提供することにある。
【課題を解決するための手段】
【０００５】
表示ラベルシートは、裏面に接着剤が塗布された表示ラベル基材と、前記接着剤の層の周縁部に接着されたフィルムとを含み、前記表示ラベル基材は、表示ラベル片と、該表示ラベル片の周囲に沿って配置される剥離片とを含む。
【０００６】
前記剥離片は前記表示ラベルに間隔をおいて配置されてもよい。前記剥離片は前記表示ラベルに隣接して配置されてもよい。前記剥離片は前記表示ラベル片の隅部に近接して配置されてもよい。前記接着剤は感熱接着剤を含むことができる。
【考案の効果】
【０００７】
本考案によれば、剥離片を爪でフィルムから剥ぎ取ることによって、表示ラベル片を損傷することなくフィルムから剥ぎ取ることができる。剥ぎ取り後は、表示ラベル片から剥離片を切り離すことによって、表示ラベル片を得ることができる。
【０００８】
前記剥離片を前記表示ラベル片の隅部に近接して配置すれば、剥離片をフィルムから引き剥がす力を表示ラベル片の隅部に集中させることができる。これにより、表示ラベル片の隅部以外に引き剥がす力を集中させてフィルムから引き剥がすよりも小さい力で引き剥がすことができる。
【考案を実施するための最良の形態】
【０００９】
図１を参照すると、本考案に係る表示ラベルシートの実施例が全体に符号１０で示されている。
【００１０】
表示ラベルシート１０は、裏面１２（図２）に感熱接着剤を塗布して形成される感熱接着剤層１４を有する、複数個の表示ラベル基材１６と、感熱接着剤層１４の周縁部１４ａ（図２）に接着されたフィルム１８とを含む。各表示ラベル基材１６は、文字、図形等が印刷される表示ラベル片２０と、表示ラベル片２０の隅部２０ａから間隔２０ｂを置いて配置される剥離片２２とを含む。
【００１１】
感熱接着剤層１４はフィルム１８に周縁部１４ａにおいて接着されているが、その接着面積が小さいため、表示ラベル基材１６をフィルム１８から引き剥がすと、表示ラベル基材１６の全面に塗布された感熱接着剤層１４は表示ラベル基材１６側に残る。
【００１２】
表示ラベルシート１０の使用にあたり、複数個の表示ラベル基材１６を備えるフィルム１８をプリンタにセットし、各表示ラベル片２０に、所望の文字、図形、模様等の印刷又はカラー印刷を行う。
【００１３】
印刷後、フィルム１８から表示ラベル基材１６を引き剥がすとき、使用者は、まず、剥離片２２を爪で引っ掻いて感熱接着剤層１４を剥離片２２側に残した状態でフィルム１８から引き剥がす。次に、剥離片２２を摘み、図４に示すように、表示ラベル片２０をフィルム１８から引き剥がす。その後、表示ラベル片２０を間隔２０ｂに沿って剥離片２２から切り離す。
【００１４】
使用者は、表示ラベル片２０を衣類等の布地製品に配置し、表示ラベル片２０にその表面からアイロン等の熱源を押し付ける。これにより、表示ラベル片２０の裏面の感熱接着剤層１４を介して表示ラベル片２０は布地製品に貼り付けられる。
【００１５】
表示ラベルシート１０は、一例として、以下のように製造される。まず、合成繊維シートの裏面に感熱接着剤を塗布して感熱接着剤層１４を設け、感熱着剤層１４に透明なフィルム１８を重ね合わせる。フィルム１８として、厚さ１００μｍ程度のポリエステル系フィルムを好適に使用することができる。
【００１６】
次に、レーザ装置からレーザビームを合成繊維シートの表面から表示ラベル基材１６の輪郭に沿って移動させながら照射する（以下「第１のレーザ照射」という）。これにより、表示ラベル基材１６の輪郭を有する複数の合成繊維シート片が合成繊維シートから切断される。
【００１７】
切断時、レーザビームによって、フィルム１８に表示ラベル基材１６の輪郭と同じ形状の溝２４（図４）が形成される。また、レーザビームの照射による熱によって、感熱接着剤層１４の周縁部１４ａはフィルム１８に溶着される。感熱接着剤層１４はレーザビームの照射部位以外では溶融しないので合成繊維シートはフィルム１８に接着していない。
【００１８】
また、前記合成繊維シート片にレーザビームを照射して合成繊維シート片を表示ラベル片２０及び剥離片２２に分離する（以下「第２のレーザ照射」という）。このとき、表示ラベル片２０及び剥離片２２の間に間隔２０ｂが形成され、表示ラベル基材１６がフィルム１８上に製造される。
【００１９】
第１及び第２のレーザ照射を合成繊維シートの長手方向に複数回、間隔をおいて行い、複数個の表示ラベル基材１６が、それぞれ、間隔をおいてフィルム１８上に形成され、表示ラベルシート１０が製造される。
【００２０】
なお、相隣り合う表示ラベル基材１６間の間隔は、表示ラベル片２０に印刷する時のプリンタの配置決め手段として使用することができる。
【００２１】
表示ラベル片２０は、第１及び第２のレーザ照射によって合成繊維シートから切断されるため、表示ラベル片２０を接着した衣類を洗濯してもホツレが生じない。
【００２２】
第２のレーザ照射のレーザ強度は、間隔２０ｂの下方の感熱接着剤層１４を切断しない程度の大きさである。したがって、第２のレーザ照射のレーザ強度は第１のレーザ照射のレーザ強度より小さい。
【００２３】
感熱接着剤層１４の引っ張り強さは、感熱接着剤層１４がその周縁部１４ａにおいてフィルム１８に接着する力より大きい。これにより、表示ラベルシート１６をフィルム１８から引き剥がすとき、剥離片２２を持って引き剥がしても間隔２０ｂの下方の感熱接着剤層１４がちぎれることない。
【００２４】
また、感熱接着剤層１４の引っ張り強さは、表示ラベル基材１６から表示ラベル片２０を間隔２０ｂに沿って容易に引きちぎれる程度の大きさである。特に、間隔２０ｂ下方の感熱接着剤層１４の引っ張り強さは第２のレーザ照射によって弱められている。これにより、表示ラベル基材１６から表示ラベル片２０を容易に引きちぎることができる。また、感熱接着剤のほかに、感圧型接着剤（ＰＳＡ）を使用することもできる。
【００２５】
剥離片２２は表示ラベル片２０に間隔２０ｂをおいて設けたが、第２のレーザビーム照射に使用されるビーム径を調節して、表示ラベル片２０に隣接して設けることもできる。
【産業上の利用可能性】
【００２６】
本考案は、上記実施例に限定されず、本考案の趣旨を逸脱しない限り、種々変更できる。
【図面の簡単な説明】
【００２７】
【図１】本考案に係る表示ラベルシートの実施例を示す部分平面図。
【図２】図１の２−２線に沿って切断した表示ラベルシートの拡大概略断面図。
【図３】図１の表示ラベルシートから表示ラベル基材を剥離した状態を示す部分平面図。
【図４】図１の表示ラベル片及び剥離片を表示ラベルシートから引き剥がしている状態を示す平面図。
【符号の説明】
【００２８】
１０  表示ラベルシート
１２  裏面
１４  感熱接着剤層
１４ａ  周縁部
１６  表示ラベル基材
１８  フィルム
２０  表示ラベル片
２０ａ  隅部
２０ｂ  間隔
２２  剥離片
２４  溝
【図１】
0003144443.tif 000003
【図２】
0003144443.tif 000004
【図３】
0003144443.tif 000005
【図４】
0003144443.tif 000006